(57)【要約】【課題】  簡単な構造で異物の影響を抑制することが可能なコネクタおよび該コネクタを備えた回転電機を提供する。【解決手段】  コネクタ１２の本体１２Ａは、ハウジング６００の内側に位置し、相手方のコネクタ１１が接続される取付け口１６Ａと、ハウジング６００の内壁と取付け口１６Ａとを隔てるように設けられ、ハウジング６００内の水滴ＷＲが取付け口１６Ａに侵入することを抑制する侵入抑制部１７Ａとを備える。【選択図】        図４
2006269207.tif 000002
【特許請求の範囲】
【請求項１】
ハウジングに取付けられるコネクタであって、
前記ハウジングの内側に位置し、他のコネクタが接続される取付部と、
前記ハウジングの内壁と前記取付部とを隔てるように設けられ、前記ハウジング内の異物が前記取付部に侵入することを抑制する侵入抑制部とを備えた、コネクタ。
【請求項２】
前記侵入抑制部を前記取付部に対して上側に位置させることが可能である、請求項１に記載のコネクタ。
【請求項３】
前記ハウジングに取付けた状態で前記取付部の位置を変更することが可能である、請求項１または請求項２に記載のコネクタ。
【請求項４】
前記取付部の可変位置は、前記侵入抑制部が前記取付部への異物の侵入を抑制する第１の位置と、前記他のコネクタを前記取付部に接続することが前記第１の位置よりも容易になる第２の位置とを含む、請求項３に記載のコネクタ。
【請求項５】
前記ハウジングの外側に設けられ、前記侵入抑制部の位置を示す表示部をさらに備えた、請求項１から請求項４のいずれかに記載のコネクタ。
【請求項６】
前記侵入抑制部は前記コネクタの本体を含む、請求項１から請求項５のいずれかに記載のコネクタ。
【請求項７】
前記侵入抑制部は前記コネクタの本体に形成された溝部を含む、請求項１から請求項６のいずれかに記載のコネクタ。
【請求項８】
前記取付部を覆うキャップ部材をさらに備え、
前記侵入抑制部は前記キャップ部材を含む、請求項１から請求項７のいずれかに記載のコネクタ。
【請求項９】
前記ハウジングとしてのケースと、
前記ケース内に設けられた素子と、
前記素子に接続された配線と、
前記配線と他の配線とを接続する請求項１から請求項８のいずれかに記載のコネクタとを備えた、回転電機。
【発明の詳細な説明】
【技術分野】
【０００１】
本発明は、コネクタおよび回転電機に関し、特に、異物の影響を抑制する構造を有するコネクタおよび回転電機に関する。
【背景技術】
【０００２】
センサ設置部などをシールする防水構造が従来から知られている。
【０００３】
たとえば、実開平６−２２３２号公報においては、雨水等をシールするシール凸部を設け、出力ターミナルのショートを防止して、誤信号の出力を防止した電磁式回転センサが開示されている。
【０００４】
また、特開２００１−２６４３４９号公報においては、回転検出器と端子とを備え、端子におけるリード線に接続される部分を防水キャップで被覆した回転検出センサが開示されている。
【０００５】
また、特開２０００−２１７２２７号公報においては、垂直に配置された配線基板と、該配線基板に組みつけられた基板コネクタとの間にアライメント補正板が介在する電気接続箱が開示されている。ここで、アライメント補正板の上面では、該上面の左右両側が中央部に比して相対的に下方に傾斜している。上記公報においては、この傾斜部の設置により、配線基板に沿って流れ落ちた水分が、アライメント補正板の上面を上記傾斜に沿って左右両側に流れ落ちるとされている。
【０００６】
また、特開平７−２９６３１号公報においては、充電用コネクタの収容室の天井面に傾斜部を設け、収容室内面に付着した水分を伝わせて集水溝に誘導するようにしたコネクタ周辺の排水構造が開示されている。
【０００７】
また、特開２０００−５０５６０号公報においては、外部からの高圧水の浸入を阻止する防壁を有するモータ用ブリーザが開示されている。
【０００８】
また、特開平９−４８２５０号公報においては、モータケースと変速機ケースとの合わせ面近傍に形成された空間とエアブリーザ室とを連通させる連通孔が設けられ、上記空間内での高温高圧化およびそれに伴なう結露を低減し、熱や空気に対するモータの負担を低減することが可能なエアブリーザ機構が開示されている。
【特許文献１】実開平６−２２３２号公報
【特許文献２】特開２００１−２６４３４９号公報
【特許文献３】特開２０００−２１７２２７号公報
【特許文献４】特開平７−２９６３１号公報
【特許文献５】特開２０００−５０５６０号公報
【特許文献６】特開平９−４８２５０号公報
【発明の開示】
【発明が解決しようとする課題】
【０００９】
しかしながら、上記特許文献１，２に開示されるようなシール部を設けたとしても、ハウジング内部に水分などの異物が侵入する場合がある。この結果、該コネクタに接続される素子の性能に影響を与える場合がある。
【００１０】
上記特許文献３〜６においても、上記の問題を十分に解決できる構成は開示されていない。たとえば、特許文献３においては、異物が伝う「ハウジング内壁」と「コネクタ接続部」とを隔てるような防水構造は開示されていない。
【００１１】
本発明は、上記のような問題に鑑みてなされたものであり、本発明の目的は、簡単な構造で異物の影響を抑制することが可能なコネクタおよび該コネクタを備えた回転電機を提供することにある。
【課題を解決するための手段】
【００１２】
本発明に係るコネクタは、ハウジングに取付けられるコネクタであって、ハウジングの内側に位置し、他のコネクタが接続される取付部と、ハウジングの内壁と取付部とを隔てるように設けられ、ハウジング内の異物が取付部に侵入することを抑制する侵入抑制部とを備える。
【００１３】
上記構成によれば、コネクタの取付部に異物が侵入することを抑制することができる。したがって、ハウジング内の異物が素子の性能に影響を与えることが抑制される。
【００１４】
上記コネクタにおいて、侵入抑制部を取付部に対して上側に配置可能であることが好ましい。
【００１５】
これにより、ハウジング内壁を伝って降下する異物がコネクタの取付部に侵入することを抑制することができる。
【００１６】
上記コネクタにおいて、該コネクタをハウジングに取付けた状態で取付部の位置を変更可能であることが好ましい。
【００１７】
上記構成によれば、侵入抑制部の位置を考慮せずにコネクタをハウジングに取付けることができるので、コネクタのハウジングへの取付が容易になる。
【００１８】
上記コネクタにおいて、好ましくは、取付部の可変位置は、侵入抑制部が取付部への異物の侵入を抑制する第１の位置と、他のコネクタを取付部に接続することが第１の位置よりも容易になる第２の位置とを含む。
【００１９】
上記構成によれば、取付部が第２の位置にある状態でコネクタと他のコネクタとを接続し、その後に取付部を第１の位置に移動させて侵入抑制部を機能させることができる。したがって、コネクタと他のコネクタとの接続が容易になる。
【００２０】
上記コネクタにおいて、好ましくは、ハウジングの外側に設けられ、侵入抑制部の位置を示す表示部がさらに備えられる。
【００２１】
上記構成によれば、ハウジングの外側から侵入抑制部が適切な位置にあるかを確認することが可能になる。
【００２２】
上記コネクタにおいて、１つ例として、侵入抑制部はコネクタの本体を含む。また、他の例として、侵入抑制部はコネクタの本体に形成された溝部を含む。
【００２３】
上記構成によれば、別段の部品を設けることなく異物の取付部への侵入を抑制する侵入抑制部を構成することができる。
【００２４】
上記コネクタにおいて、さらに他の例として、取付部を覆うキャップ部材がさらに備えられ、侵入抑制部はキャップ部材を含む。
【００２５】
上記構成によれば、キャップ部材によって異物の取付部への侵入を抑制する侵入抑制部を構成することができる。
【００２６】
本発明に係る回転電気は、上記ハウジングとしてのケースと、ケース内に設けられた素子と、素子に接続された配線と、配線と他の配線とを接続する上記コネクタとを備える。
【００２７】
異物の影響が抑制されたコネクタが用いられることにより、回転電機の性能が向上する。
【発明の効果】
【００２８】
本発明によれば、ハウジング内壁を伝う水分などの異物がコネクタ接続部に侵入することを抑制することができる。
【発明を実施するための最良の形態】
【００２９】
以下に、本発明に基づくコネクタおよび回転電気の実施の形態について説明する。なお、同一または相当する部分に同一の参照符号を付し、その説明を繰返さない場合がある。
【００３０】
なお、以下では、コネクタ部に接続される「素子」の一例としての「レゾルバ」について主に説明するが、本発明に係るコネクタが接続される「素子」は「レゾルバ」に限定されず、その他の素子にも同様の思想を適用することが可能である。たとえば、センサであれば、温度センサ、オイルレベルセンサおよび水位センサなどにおいても本発明の思想を適用することが可能である。
【００３１】
図１は、本発明の実施の形態１〜５に係るコネクタを含む駆動ユニットの構造の一例を概略的に示す図である。図１に示される例では、駆動ユニット１は、ハイブリッド車両に搭載される駆動ユニットであり、モータジェネレータ１００と、レゾルバ２００と、減速機構３００と、ディファレンシャル機構４００と、ドライブシャフト受け部５００と、ハウジング６００と、端子台７００とを含んで構成される。
【００３２】
モータジェネレータ１００は、電動機または発電機としての機能を有する回転電機であり、軸受１２０を介してハウジング２００に回転可能に取付けられた回転シャフト１１０と、回転シャフト１１０に取付けられたロータ１３０と、ステータ１４０とを有する。
【００３３】
ロータ１３０は、鉄または鉄合金などの板状の磁性体を積層することにより構成されたロータコアと、該ロータコアに埋設された永久磁石とを有する。永久磁石は、たとえば、ロータコアの外周近傍にほぼ等間隔を隔てて配置される。
【００３４】
ステータ１４０は、リング状のステータコア１４１と、ステータコア１４１に巻回されるステータコイル１４２と、ステータコイル１４２に接続されるバスバー１４３とを有する。バスバー１４３は、ハウジング６００に設けられた端子台７００および給電ケーブル８００Ａを介してＰＣＵ（Power Control Unit）８００と接続される。また、ＰＣＵ８００は、給電ケーブル９００Ａを介してバッテリ９００に接続される。これにより、バッテリ９００とステータコイル１４２とが電気的に接続される。
【００３５】
ステータコア１４１は、鉄または鉄合金などの板状の磁性体を積層することにより構成される。ステータコア１４１の内周面上には複数のティース部（図示せず）および該ティース部間に形成される凹部としてのスロット部（図示せず）が形成されている。スロット部は、ステータコア１４１の内周側に開口するように設けられる。
【００３６】
３つの巻線相であるＵ相、Ｖ相およびＷ相を含むステータコイル１４２は、スロット部に嵌り合うようにティース部に巻き付けられる。ステータコイル１４２のＵ相、Ｖ相およびＷ相は、互いに円周上でずれるように巻き付けられる。バスバー１４３は、それぞれステータコイル１４２のＵ相、Ｖ相およびＷ相に対応するＵ相、Ｖ相およびＷ相を含む。
【００３７】
給電ケーブル８００Ａは、Ｕ相ケーブルと、Ｖ相ケーブルと、Ｗ相ケーブルとからなる三相ケーブルである。バスバー１４３のＵ相、Ｖ相およびＷ相がそれぞれ給電ケーブル８００ＡにおけるＵ相ケーブル、Ｖ相ケーブルおよびＷ相ケーブルに接続される。
【００３８】
モータジェネレータ１００から出力された動力は、減速機構３００からディファレンシャル機構４００を介してドライブシャフト受け部５００に伝達される。ドライブシャフト受け部５００に伝達された駆動力は、ドライブシャフト（図示せず）を介して車輪（図示せず）に回転力として伝達されて、車両を走行させる。
【００３９】
一方、ハイブリッド車両の回生制動時には、車輪は車体の慣性力により回転させられる。車輪からの回転力によりドライブシャフト受け部５００、ディファレンシャル機構４００および減速機構３００を介してモータジェネレータ１００が駆動される。このとき、モータジェネレータ１００が発電機として作動する。モータジェネレータ１００により発電された電力は、ＰＣＵ８００におけるインバータを介してバッテリ９００に蓄えられる。
【００４０】
レゾルバ２００は、レゾルバロータ２１０と、レゾルバステータ２２０とを有する。レゾルバロータ２１０は、モータジェネレータ１００の回転シャフト１１０に接続されている。また、レゾルバステータ２２０は、レゾルバステータコア２２１と、該コアに巻回されたレゾルバステータコイル２２２とを有する。上記レゾルバ２００により、モータジェネレータ１００のロータ１３０の回転角度が検出される。検出された回転角度は、コネクタ部１０を介してＰＣＵ８００へ伝達される。ＰＣＵ８００は、検出されたロータ１３０の回転角度と、外部ＥＣＵ（Electrical Control Unit）からのトルク指令値とを用いてモータジェネレータ１００を駆動するための駆動信号を生成し、その生成した駆動信号をモータジェネレータ１００へ出力する。
【００４１】
図２は、ＰＣＵ８００の主要部の構成を示す回路図である。図２を参照して、ＰＣＵ８００は、コンバータ８１０と、インバータ８２０と、制御装置８３０と、コンデンサＣ１，Ｃ２と、電源ラインＰＬ１〜ＰＬ３と、出力ライン８４０Ｕ，８４０Ｖ，８４０Ｗとを含む。コンバータ８１０は、バッテリ９００とインバータ８２０との間に接続され、インバータ８２０は、出力ライン８４０Ｕ，８４０Ｖ，８４０Ｗを介してモータジェネレータ１００と接続される。
【００４２】
コンバータ８１０に接続されるバッテリ９００は、たとえば、ニッケル水素やリチウムイオン等の二次電池である。バッテリ９００は、発生した直流電圧をコンバータ８１０に供給し、また、コンバータ８１０から受ける直流電圧によって充電される。
【００４３】
コンバータ８１０は、パワートランジスタＱ１，Ｑ２と、ダイオードＤ１，Ｄ２と、リアクトルＬとからなる。パワートランジスタＱ１，Ｑ２は、電源ラインＰＬ２，ＰＬ３間に直列に接続され、制御装置８３０からの制御信号をベースに受ける。ダイオードＤ１，Ｄ２は、それぞれパワートランジスタＱ１，Ｑ２のエミッタ側からコレクタ側へ電流を流すようにパワートランジスタＱ１，Ｑ２のコレクタ−エミッタ間にそれぞれ接続される。リアクトルＬは、バッテリ９００の正極と接続される電源ラインＰＬ１に一端が接続され、パワートランジスタＱ１，Ｑ２の接続点に他端が接続される。
【００４４】
このコンバータ８１０は、リアクトルＬを用いてバッテリ９００から受ける直流電圧を昇圧し、その昇圧した昇圧電圧を電源ラインＰＬ２に供給する。また、コンバータ８１０は、インバータ８２０から受ける直流電圧を降圧してバッテリ９００を充電する。
【００４５】
インバータ８２０は、Ｕ相アーム８５０Ｕ、Ｖ相アーム８５０ＶおよびＷ相アーム８５０Ｗからなる。各相アームは、電源ラインＰＬ２，ＰＬ３間に並列に接続される。Ｕ相アーム８５０Ｕは、直列に接続されたパワートランジスタＱ３，Ｑ４からなり、Ｖ相アーム８５０Ｖは、直列に接続されたパワートランジスタＱ５，Ｑ６からなり、Ｗ相アーム８５０Ｗは、直列に接続されたパワートランジスタＱ７，Ｑ８からなる。ダイオードＤ３〜Ｄ８は、それぞれパワートランジスタＱ３〜Ｑ８のエミッタ側からコレクタ側へ電流を流すようにパワートランジスタＱ３〜Ｑ８のコレクタ−エミッタ間にそれぞれ接続される。そして、各相アームにおける各パワートランジスタの接続点は、出力ライン８４０Ｕ，８４０Ｖ，８４０Ｗを介してモータジェネレータ１００の各相コイルの反中性点側にそれぞれ接続されている。
【００４６】
このインバータ８２０は、制御装置８３０からの制御信号に基づいて、電源ラインＰＬ２から受ける直流電圧を交流電圧に変換してモータジェネレータ１００へ出力する。また、インバータ８２０は、モータジェネレータ１００によって発電された交流電圧を直流電圧に整流して電源ラインＰＬ２に供給する。
【００４７】
コンデンサＣ１は、電源ラインＰＬ１，ＰＬ３間に接続され、電源ラインＰＬ１の電圧レベルを平滑化する。また、コンデンサＣ２は、電源ラインＰＬ２，ＰＬ３間に接続され、電源ラインＰＬ２の電圧レベルを平滑化する。
【００４８】
レゾルバ２００は、モータジェネレータ１００の回転子の回転角度を検出して制御装置８３０へ出力する。ここで、制御装置８３０への出力は、配線１３，１４およびコネクタ部１０を介して行なわれる。
【００４９】
制御装置８３０は、モータジェネレータ１００の回転子の回転角度、モータトルク指令値、モータジェネレータ１００の各相電流値、およびインバータ８２０の入力電圧に基づいてモータジェネレータ１００の各相コイル電圧を演算し、その演算結果に基づいてパワートランジスタＱ３〜Ｑ８をオン／オフするＰＷＭ（Pulse Width Modulation）信号を生成してインバータ８２０へ出力する。
【００５０】
また、制御装置８３０は、上述したモータトルク指令値およびモータ回転数に基づいてインバータ８２０の入力電圧を最適にするためのパワートランジスタＱ１，Ｑ２のデューティ比を演算し、その演算結果に基づいてパワートランジスタＱ１，Ｑ２をオン／オフするＰＷＭ信号を生成してコンバータ８１０へ出力する。
【００５１】
さらに、制御装置８３０は、モータジェネレータ１００によって発電された交流電力を直流電力に変換してバッテリ９００を充電するため、コンバータ８１０およびインバータ８２０におけるパワートランジスタＱ１〜Ｑ８のスイッチング動作を制御する。
【００５２】
このＰＣＵ８００においては、コンバータ８１０は、制御装置８３０からの制御信号に基づいて、バッテリ９００から受ける直流電圧を昇圧して電源ラインＰＬ２に供給する。そして、インバータ８２０は、コンデンサＣ２によって平滑化された直流電圧を電源ラインＰＬ２から受け、その受けた直流電圧を交流電圧に変換してモータジェネレータ１００へ出力する。
【００５３】
また、インバータ８２０は、モータジェネレータ１００の回生動作によって発電された交流電圧を直流電圧に変換して電源ラインＰＬ２へ出力する。そして、コンバータ８１０は、コンデンサＣ２によって平滑化された直流電圧を電源ラインＰＬ２から受け、その受けた直流電圧を降圧してバッテリ９００を充電する。
【００５４】
図３は、レゾルバ２００の主要な構成の一例を模式的に示した図である。
【００５５】
図３を参照して、レゾルバ２００におけるレゾルバロータ２１０は、楕円形状を有する。レゾルバステータコイルは、励磁用信号巻線２２２Ａおよび検知用信号巻線２２２Ｂ，２２２Ｃを有する。ここで、検知用信号巻線２２２Ｂ，２２２Ｃは、電気的に互いに９０°ずれて配置されている。レゾルバロータ２１０がモータジェネレータの回転シャフトとともに回転することにより、レゾルバロータ２１０と検知用信号巻線２２２Ｂ，２２２Ｃとの間のギャップ（たとえば図３中のＬ１，Ｌ２）が変化する。ここで、励磁用信号巻線２２２Ａに交流電流を流すことにより、検知用信号巻線２２２Ｂ，２２２Ｃにはレゾルバロータ２１０の回転位置に応じた出力が発生し、この出力の差からレゾルバロータ２１０の回転位置（たとえば図３中のθ）を検出することができる。
【００５６】
図３に示すように、コネクタ部１０は、配線１３側のコネクタ１１と、配線１４側のコネクタ１２とを有する。コネクタ１１，１２の端子を接続することで、配線１３，１４が接続され、レゾルバ２００と制御装置８３０とが電気的に接続される。ここで、配線１３，１４は、複数相（図３に示す例では６相）を有する配線であり、コネクタ部１０は、上記複数相におけるそれぞれの相に対応した複数の端子を有する。
【００５７】
ところで、ブリーザ機構などからハウジング６００の内部に雨水が侵入したり、温度変化によってハウジング６００内に結露水が発生したりする場合がある。また、水分とともに、イオン成分を比較的多く含む融雪剤などの不純物がハウジング６００内に侵入する場合がある。これらがコネクタ部１０に侵入することにより、上述した複数の端子間において導電率が上昇する。導電率が過度に上昇すると、レゾルバ２００において相間の短絡が生じる場合がある。ここで、融雪剤などを含むイオン濃度が高い水分が侵入した場合は、即座に導電率が上昇する。また、結露水などイオン濃度が低い水分が侵入した場合であっても、端子金属からのイオンの析出などにより、徐々に導電率が上昇する。これに対し、以下に説明する実施の形態１〜５においては、後述する対策がなされることにより、端子間の短絡が抑制される。
【００５８】
（実施の形態１）
図４は、実施の形態１に係るコネクタによる接続構造を示した図である。なお、図４において、矢印Ｇは重力方向を示し、矢印ＤＲ１はハウジング６００の内側方向を示し、矢印ＤＲ２はハウジング６００の外側方向を示す。
【００５９】
図４に示されるコネクタ部１０は、ハウジング６００内の「素子」としてのレゾルバ２００とハウジング６００の外部に設けられるＰＣＵ８００とを接続する配線１３，１４上に設けられる。そして、コネクタ部１０は、配線１３側のコネクタ１１および配線１４側のコネクタ１２により構成される。コネクタ１１，１２は、それぞれ、コネクタ本体１１Ａ，１２Ａおよび接続端子（図４においては図示せず）を有する。
【００６０】
コネクタ本体１２Ａは、ハウジング６００の開口部に取付けられ、ハウジング６００を貫通する。コネクタ本体１２Ａの外周には、Ｏリング１５が設けられる。これにより、ハウジング６００の開口部がシールされる。そして、コネクタ本体１２Ａは、ハウジング６００の内側に取付け口１６Ａを有する。コネクタ本体１１Ａは、この取付け口１６Ａに嵌合される。
【００６１】
ハウジング６００内部には、結露により発生、または、外部から侵入した水滴ＷＲが存在する場合がある。水滴ＷＲは、重力に従って、ハウジング６００の内壁を伝いながら、矢印ＤＲ０の方向に下降する。この結果、水滴ＷＲは、コネクタ部１０の近傍に達する。
【００６２】
水滴ＷＲが取付け口１６Ａ内に侵入すると、コネクタ部１０が水滴ＷＲの影響を受けることになる。したがって、水滴ＷＲが取付け口１６内に侵入することを抑制しながら、水滴ＷＲを下降させることは重要である。
【００６３】
これに対し、本実施の形態に係るコネクタ１２は、取付け口１６Ａの上部に、水分などの異物の取付け口１６Ａへの浸入を抑制する侵入抑制部１７Ａを有する。これにより、水滴ＷＲによるコネクタ部１０への影響が抑制される。
【００６４】
侵入抑制部１７Ａは、コネクタ本体１２Ａにより構成されており、取付け口１６Ａの上側に位置するように配設される。これにより、別段のキャップ部材やシール部材を設けることなく、簡易な構造により、取付け口１６Ａに水分が侵入することを抑制することができる。ここでは、ハウジング６００の内壁を伝って下降する水滴ＷＲが取付け口１６Ａに侵入することを抑制することができる。この結果、ハウジング６００内の水分がレゾルバ２００の性能に影響を与えることが抑制される。
【００６５】
コネクタ１２は、ハウジング６００に取付けた状態で矢印ＤＲ３の方向に回転可能である。したがって、コネクタ１２をハウジング６００に取付けた状態で取付け口１６Ａの位置および方向を変更することが可能である。この結果、取付け口１６Ａおよび侵入抑制部１７Ａの位置を考慮せずにコネクタ１２をハウジング６００に取付けることができるので、コネクタ１２のハウジング６００への取付が容易になる。
【００６６】
本実施の形態においては、コネクタ１２をハウジング６００に取付けた後、取付け口１６Ａが上側に開口するようにした状態でコネクタ１１，１２を接続する。これにより、コネクタ１１，１２を上側から見た状態で該コネクタの接続を行なうことができるので、コネクタ１１，１２の接続が行ないやすくなる。その後、コネクタ１２を回転させて取付け口１６Ａを下側に向ける。これにより、侵入抑制部１７Ａを機能させることができる。
【００６７】
ここで、取付け口１６Ａが下側に開口する位置は「第１の位置」であり、取付け口１６Ａが上側に開口する位置は「第２の位置」である。
【００６８】
コネクタ１２には、ハウジング６００の外側に設けられ、コネクタ１２の回転位置を示す表示部１８が設けられる。これにより、ハウジング６００を密閉した後においても、ハウジング６００の外側から侵入抑制部１７Ａの回転位置を確認することが可能になる。
【００６９】
図５は、コネクタ部１０のハウジング６００への組付け過程を示した図である。図５を参照して、上述したように、Ｏリング１５が設けられたコネクタ本体１２Ａが、ハウジング６００の開口部に差し込まれた後、ハウジング６００の内側から相手方のコネクタ本体１１Ａが嵌合される。
【００７０】
図６は、コネクタ部１０における接続端子の詳細を示した図である。図６を用いて、取付け口１６Ａに水滴ＷＲが侵入した場合の影響について説明する。
【００７１】
図６を参照して、コネクタ１１は複数の端子１１Ｂ，１１Ｃを有し、コネクタ１２は複数の端子１２Ｂ，１２Ｃを有する。凹状の端子１１Ｂ，１１Ｃにピン状の端子１２Ｂ，１２Ｃを差し込むことで、コネクタ１１，１２が電気的に接続される。
【００７２】
端子１１Ｂ，１２Ｂと端子１１Ｃ，１２Ｃとは、それぞれ、複数相ケーブルである配線１３，１４における異なる相に対応する端子である。すなわち、端子１１Ｂ，１２Ｂは、配線１３，１４における１つの相に対応する端子であり、端子１１Ｃ，１２Ｃは、配線１３，１４における他の相に対応する端子である。したがって、取付け口１６Ａに水滴ＷＲが侵入し、端子１１Ｂ，１２Ｂと端子１１Ｃ，１２Ｃとの間が電気的に導通すると、相間の短絡が生じ、レゾルバ２００の機能が阻害される。これに対し、上記の侵入抑制部１７Ａが設けられることで、水滴ＷＲの侵入が抑制され、相間の短絡が防止される。
【００７３】
上述した内容について要約すると、以下のようになる。すなわち、本実施の形態に係るコネクタ１２は、ハウジング６００の内側に位置し、「他のコネクタ」としてのコネクタ１１が接続される「取付部」としての取付け口１６Ａと、ハウジング６００の内壁と取付け口１６Ａとを隔てるように設けられ、ハウジング６００内の水滴ＷＲが取付け口１６Ａに侵入することを抑制する侵入抑制部１７Ａとを備える。
【００７４】
本実施の形態に係るモータジェネレータ１００は、内部にロータ１３０およびステータ１４０が設けられる「ケース」としてのハウジング６００と、ハウジング６００内に設けられたレゾルバ２００と、レゾルバ２００に接続された配線１３と、配線１３と「他の配線」としての配線１４とを接続するコネクタ部１０とを備える。
【００７５】
コネクタ部１０において、水滴ＷＲの影響を受けにくいコネクタ１２が用いられることにより、レゾルバ２００における相間の短絡が抑制される。結果として、水分によるレゾルバ２００の機能の低下が抑制され、モータジェネレータ１００の性能が向上する。
【００７６】
（実施の形態２）
図７は、実施の形態２に係るコネクタによる接続構造を示した図である。図７に示されるコネクタ部１０においては、コネクタ本体１２Ａに溝部１７Ｂが形成されている。本実施の形態は、溝部１７Ｂが「侵入抑制部」を構成する点を特徴とする。
【００７７】
図７を参照して、溝部１７Ｂは、ハウジング６００の内壁に沿うように、コネクタ本体１２Ａの外周上に形成される。コネクタ１２におけるコネクタ１１への差し込み部１６Ｂは、溝部１７Ｂよりもハウジング６００の内側に設けられる。差し込み部１６Ｂは、「他のコネクタ」としてのコネクタ１１が接続される「取付部」を構成する。
【００７８】
ハウジング６００の内壁に沿って矢印ＤＲ０の方向に下降する水滴ＷＲは、溝部１７Ｂに流入し、コネクタ本体１２Ａの外周に沿って溝部１７Ｂ内を流れた後、コネクタ部１０の下方に流れ落ちる。したがって、水滴ＷＲがコネクタ１１，１２の接合部に侵入することが抑制されている。
【００７９】
以上のように、本実施の形態においても、実施の形態１と同様に、別段のキャップ部材やシール部材を設けることなく、簡易な構造により、コネクタ１１，１２の接合部に水分が侵入することを抑制することができる。
【００８０】
（実施の形態３）
図８は、実施の形態３に係るコネクタによる接合構造を示した図である。図８に示されるコネクタ部１０においては、コネクタ１１，１２の接合面１６Ｃを覆う「キャップ部材」としてのゴムキャップ１７Ｃが設けられる。本実施の形態は、ゴムキャップ１７Ｃが「侵入抑制部」を構成する点を特徴とする。接合面１６Ｃは、「他のコネクタ」としてのコネクタ１１が接続される「取付部」を構成する。
【００８１】
ゴムキャップ１７Ｃは接合面１６Ｃ上からコネクタ本体１２Ａの側面を覆うように設けられる。これにより、ゴムキャップ１７Ｃは、接合面１６Ｃへの水滴ＷＲの侵入を防止するとともに、ハウジング６００の開口部をシールすることができる。すなわち、ゴムキャップ１７Ｃは、コネクタ本体１２Ａの外周に配設されるシール材（実施の形態１，２におけるＯリング１５）の役割をも果たす。
【００８２】
ハウジング６００の内壁に沿って矢印ＤＲ０の方向に下降する水滴ＷＲは、ゴムキャップ１７Ｃの外周に沿ってコネクタ部１０の下方に流れ落ちる。したがって、水滴ＷＲがコネクタ１１，１２の接合面１６Ｃに侵入することが抑制されている。
【００８３】
図９は、図８における矢印IＸの方向から見たゴムキャップ１７Ｃの平面図である。図９を参照して、ゴムキャップ１７Ｃには切り込み部ＣＵＴが設けられる。これにより、コネクタ１２およびゴムキャップ１７Ｃをハウジング６００に取付けた状態で、コネクタ１１および配線１３をゴムキャップ１７Ｃの内側に入れて、コネクタ１１，１２を接続することができる。
【００８４】
実際にコネクタ１１，１２を接続する際は、まず、切り込み部ＣＵＴを上側に向け、コネクタ１１，１２を接続した後に、コネクタ１２を矢印ＤＲ３の方向に回転させて切り込み部ＣＵＴを下側に向ける。これにより、コネクタ１１，１２を上側から見た状態で該コネクタの接続を行なうとともに、コネクタ１１，１２の接続後においては、ゴムキャップ１７Ｃを「侵入抑制部」として機能させることができる。なお、ハウジング６００の外側には、コネクタ１２の回転位置を示す表示部１８が設けられる。これにより、ハウジング６００を密閉した後においても、ハウジング６００の外側から切り込み部ＣＵＴの回転位置を確認することが可能になる。
【００８５】
以上のように、本実施の形態においても、実施の形態１，２と同様に、コネクタ１１，１２の接合部に水分が侵入することを抑制することができる。
【００８６】
（実施の形態４）
図１０は、実施の形態４に係るコネクタによる接続構造を示した図である。図１０を参照して、本実施の形態においては、コネクタ１２の取付け口１６Ｄからハウジング６００の内壁上に達する通路１９が設けられる。本実施の形態は、仮にコネクタ１１，１２の接合部に水滴ＷＲが侵入した場合でも、その水分を速やかに排出させる「排水流路」を有することを特徴とする。
【００８７】
通路１９は、コネクタ本体１２Ａおよびハウジング６００に孔部を設けることにより形成される。したがって、コネクタ本体１２Ａに形成された孔部の開口位置とハウジング６００に形成された孔部の開口位置とを合わせる必要がある。開口位置は、コネクタ１２を矢印ＤＲ３の方向に回転させて合わせられる。なお、ハウジング６００の外側には、コネクタ１２の回転位置を示す表示部１８が設けられる。これにより、ハウジング６００を密閉した後においても、ハウジング６００の外側から孔部の開口位置を合わせることが可能になる。
【００８８】
以上のように、本実施の形態においては、コネクタの接合部に侵入した水分を速やかに排出することができる。
【００８９】
（実施の形態５）
図１１は、実施の形態５に係るコネクタによる接続構造を示した図である。また、図１２は、図１１における矢印ＸIIの方向から見たコネクタの平面図である。図１１，図１２に示される接合構造は、コネクタ１２の取付け口１６Ｅに侵入した水分を速やかに排出させる「排水流路」としての溝部２０を有する。本実施の形態は、上記「排水流路」が、コネクタ本体１２Ａを加工することにより設けられることを特徴とする。
【００９０】
本実施の形態においては、実施の形態４のように、上記「排水流路」を形成するためにハウジング６００に孔部を設ける必要はない。また、コネクタ本体１２Ａおよびハウジング６００にそれぞれ形成された孔部の開口位置を合わせる必要もない。ただし、溝部２０をコネクタ１１，１２の接合部に対して下側に位置させる必要がある。溝部２０の位置は、ハウジング６００に取付けられたコネクタ１２を矢印ＤＲ３の方向に回転させて調整される。なお、ハウジング６００の外側には、コネクタ１２の回転位置を示す表示部１８が設けられる。これにより、ハウジング６００を密閉した後においても、ハウジング６００の外側から溝部２０の位置を調整することが可能になる。
【００９１】
また、溝部２０には傾斜部２１が設けられている。これにより、水分が溝部２０内を流れやすくなる。結果として、コネクタ１１，１２の接合部からの水分の排出が促進される。
【００９２】
以上のように、本実施の形態においては、コネクタの接合部に侵入した水分を速やかに排出することができる。
【００９３】
以上、本発明の実施の形態について説明したが、上述した各実施の形態の特徴部分を適宜組合わせることは、当初から予定されている。また、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【００９４】
【図１】本発明の実施の形態１〜５に係るコネクタを含む駆動ユニットの構造の一例を概略的に示す図である。
【図２】図１に示されるＰＣＵの主要部の構成を示す回路図である。
【図３】図１，図２に示されるレゾルバの主要な構成の一例を模式的に示した図である。
【図４】本発明の実施の形態１に係るコネクタによる接続構造を示した図である。
【図５】図４に示される接続構造のハウジングへの組付け過程を示した図である。
【図６】図４に示される接続構造における接続端子の詳細を示した図である。
【図７】本発明の実施の形態２に係るコネクタによる接続構造を示した図である。
【図８】本発明の実施の形態３に係るコネクタによる接続構造を示した図である。
【図９】図８における矢印IＸの方向から見たキャップ部材の平面図である。
【図１０】本発明の実施の形態４に係るコネクタによる接続構造を示した図である。
【図１１】本発明の実施の形態５に係るコネクタによる接続構造を示した図である。
【図１２】図１１における矢印ＸIIの方向から見たコネクタの平面図である。
【符号の説明】
【００９５】
１  駆動ユニット、１０  コネクタ部、１１，１２  コネクタ、１１Ａ，１１Ｂ  コネクタ本体、１１Ｂ，１１Ｃ，１２Ｂ，１２Ｃ  端子、１３，１４  配線、１５  Ｏリング、１６Ａ，１６Ｄ，１６Ｅ  取付け口、１６Ｂ  差し込み部、１６Ｃ  接合面、１７Ａ  侵入抑制部、１７Ｂ  溝部、１７Ｃ  ゴムキャップ、１８  表示部、１９  通路、２０  溝部、２１  傾斜部、１００  モータジェネレータ、１１０  回転シャフト、１２０  軸受、１３０  ロータ、１４０  ステータ、１４１  ステータコア、１４２  ステータコイル、１４３  バスバー、２００  レゾルバ、２１０  レゾルバロータ、２２０  レゾルバステータ、２２１  レゾルバステータコア、２２２  レゾルバステータコイル、２２２Ａ  励磁用信号巻線、２２２Ｂ，２２２Ｃ  検知用信号巻線、３００  減速機構、４００  ディファレンシャル機構、５００  ドライブシャフト受け部、６００  ハウジング、７００  端子台、８００  ＰＣＵ、８００Ａ，９００Ａ  給電ケーブル、８１０  コンバータ、８２０  インバータ、８３０  制御装置、８４０Ｕ，８４０Ｖ，８４０Ｗ  出力ライン、８５０Ｕ  Ｕ相アーム、８５０Ｖ  Ｖ相アーム、８５０Ｗ  Ｗ相アーム、９００  バッテリ、Ｃ１，Ｃ２  コンデンサ、ＣＵＴ  切り込み部、Ｄ１〜Ｄ８  ダイオード、Ｌ  リアクトル、ＰＬ１，ＰＬ２，ＰＬ３  電源ライン、Ｑ１〜Ｑ８  パワートランジスタ、ＷＲ  水滴。
【図１】
2006269207.tif 000003
【図２】
2006269207.tif 000004
【図３】
2006269207.tif 000005
【図４】
2006269207.tif 000006
【図５】
2006269207.tif 000007
【図６】
2006269207.tif 000008
【図７】
2006269207.tif 000009
【図８】
2006269207.tif 000010
【図９】
2006269207.tif 000011
【図１０】
2006269207.tif 000012
【図１１】
2006269207.tif 000013
【図１２】
2006269207.tif 000014